(57)【要約】【課題】リモコン装置において電波時計の時刻情報をキーとして暗号と解読を行うことにより、送信ミスや通信エリア外での送信が頻繁にあった場合でも、リモコン送信部の送信情報をリモコン受信部が正確に処理可能にする。【解決手段】スイッチ１を利用者が押すと、制御装置４は、電波時計２から時刻情報を、ＩＤメモリ３からスイッチ１に対応した鍵情報としてのＩＤデータをそれぞれ読み出す。制御装置４は時刻情報をキーとしてＩＤデータを暗号化し、暗号化されたＩＤデータは送信機５から送信される。受信機１１がリモコン送信部１００の送信機５から無線送信された情報を受信すると、制御装置１０は電波時計８から時刻情報を読み出し、これをキーとして受信した情報（暗号情報）を解読する。解読した結果の情報がＩＤメモリ９に記憶されたＩＤデータと一致した場合には、錠装置７に施錠・解錠信号を送る。【選択図】      図１
2004186851.tif 000002
【特許請求の範囲】
【請求項１】
時刻を計時する送信側計時部と、操作部と、上記操作部に対応した所望の情報を上記送信側計時部の計時時刻をキーとして所望の暗号情報に暗号化する暗号化部と、上記操作部が操作された際に上記所望の暗号情報を送信する送信部とを備えたリモコン送信部と、
時刻を計時する受信側計時部と、上記所望の暗号情報を受信する受信部と、上記受信部が受信した上記所望の暗号情報を上記受信側計時部の計時時刻をキーとして解読する解読部と、上記解読部が解読した上記所望の情報に基づき外部の電子機器を制御する制御出力を発生する制御部とを備えたリモコン受信部と
を含むことを特徴とするリモコン装置。
【請求項２】
請求項１において、上記送信側計時部および上記受信側計時部は、時刻情報を含む電波から取得した上記時刻情報に基づき時刻を計時する電波時計であることを特徴とするリモコン装置。
【請求項３】
請求項２において、上記リモコン送信部は、上記操作部の操作に応じて上記リモコン送信部側の電波時計の動作を禁止する動作禁止制御部をさらに含むことを特徴とするリモコン装置。
【請求項４】
請求項２または３において、上記リモコン送信部は、上記操作部が操作された時刻を記憶する操作時刻記憶部と、上記操作時刻記憶部に記憶された操作時刻に応じて上記リモコン送信部側の電波時計の動作時刻を設定する動作時刻設定部とをさらに含むことを特徴とするリモコン装置。
【請求項５】
請求項２乃至４のいずれかにおいて、上記リモコン受信部は、上記受信部による上記所望の暗号情報の受信に伴い上記リモコン受信部側の電波時計の動作を禁止する動作禁止制御部をさらに含むことを特徴とするリモコン装置。
【請求項６】
請求項２乃至５のいずれかにおいて、上記リモコン受信部は、上記受信部が上記所望の暗号情報を受信した時刻を記憶する受信時刻記憶部と、上記受信時刻記憶部に記憶された受信時刻に応じて上記リモコン受信部側の電波時計の動作時刻を設定する動作時刻設定部とをさらに含むことを特徴とするリモコン装置。
【請求項７】
請求項１乃至６のいずれかに記載のリモコン装置と、上記制御出力に基づき制御される電子機器とを含むことを特徴とするリモコン装置を備えた電子機器。
【発明の詳細な説明】
【０００１】
【発明の技術分野】
本発明は、リモコン装置に関し、特には、時刻情報を暗号用と解読用のキーとして用いるリモコン装置に関する。
【０００２】
【従来の技術】
従来、リモコン装置を利用して例えば扉の開錠を行うキーレスエントリーシステム等では、リモコン送信部からの送信指令（鍵情報）が第３者にわからないようにしなければならなかった。これは、送信部から送信される鍵の情報が第３者に渡ってしまうとセキュリティの面で不都合を生じるからである。
【０００３】
このようなセキュリティの問題を解決するために、リモコン送信部からの送信指令（鍵情報）を暗号化し、リモコン受信部で解読する技術が特許文献１（特開２００２−３０８３８号公報）に記載されている。以下、特許文献１に記載の従来技術を簡単に説明する。
【０００４】
送信部側はキー操作部のボタンが押されるごとに１ずつ加算される同期カウンタを有し、受信部側はキー操作部の操作による送信データを受信するごとに１ずつ加算される同期カウンタを有し、これらの同期カウンタの値に基づき暗号・解読および送信データのチェックを行う。具体的には、送信部側からの送信データは、ユーザ番号、キー毎に設定された暗号用番号および同期カウンタの値を暗号化アルゴリズムで暗号化したものであり、受信部は、受信した送信データの暗号コードの解読を行い、暗号用番号の照会を行う。その後、同期カウンタのチェックを行う。このチェックの方法としては、送信データのカウント値が受信部側の同期カウンタの値と一致または＋１６以内であれば開錠し、そうでない場合は３２Ｋウィンドウの範囲内に収まっていれば、その送信データのカウント値を暫定的に記憶して開錠し、次回送信されたデータのカウント値が受信部側の同期カウンタの値と一致または＋１６以内であればそのカウント値を受信部側のカウント値として正式に書き換えるものである。このように、送信側と受信側のカウント値が多少異なっても開錠できるようにするのは、受信エラーや通信エリア外での送信により両同期カウンタの同期が多少崩れてしまっても開錠可能とするためである。
【０００５】
【特許文献１】
特開２００２−３０８３８号公報
【０００６】
【発明が解決しようとする課題】
しかしながら、上記のものでは、受信エラーや通信エリア外での送信が頻繁に起こると、両同期カウンタの同期が大きく崩れてしまい、送信データに応じた制御を受信部が行えなくなってしまうという問題が生じてしまう。
【０００７】
また、両同期カウンタの同期が大きく崩れていても開錠可能にすると、それだけ鍵を開けることが可能な情報の種類が増えることになり、セキュリティの面で問題が生じてしまう。
【０００８】
このような問題は、キーレスエントリーシステムに限るものではなく、リモコン送信情報が読み取られて、不正に使用される可能性があるリモコン装置に共通する問題である。
【０００９】
本発明の目的は、暗号通信を利用するリモコン装置において、送信ミスや通信エリア外での送信が頻繁にあった場合でも、リモコン送信部の送信データをリモコン受信部が正確に処理可能にすることである。
【００１０】
【課題を解決するための手段】
第１の発明は、時刻を計時する送信部側計時部と、操作部と、上記操作部に対応した所望の情報を上記送信部側計時部の計時時刻をキーとして所望の暗号情報に暗号化する暗号化部と、上記操作部が操作された際に上記所望の暗号情報を送信する送信部とを備えたリモコン送信部と、時刻を計時する受信部側計時部と、上記所望の暗号情報を受信する受信部と、上記受信された所望の暗号情報を上記受信部側計時部の計時時刻をキーとして解読する解読部と、解読された上記所望の情報に基づき外部の電子機器を制御する制御出力を発生する制御部とを備えたリモコン受信部とを含むリモコン装置である。このような構成によれば、時刻をキーとしてリモコン用信号の暗号および解読を行うので、リモコン送信部から送信される情報は毎回異なるようになり、この情報を傍受されたとしても不正に使用されることを避けることができる。
【００１１】
第２の発明は、第１の発明において、上記送信部側計時部および上記受信部側計時部は、時刻情報を含む電波から取得した上記時刻情報に基づき時刻を計時する電波時計としている。このような構成によれば、上記効果に加えて、送信部側計時部の計時内容と受信部側計時部の計時内容とを自動的に同期させることが可能となるので、ユーザが両計時部を同期させるという煩わしい操作を解消可能となる。
【００１２】
第３の発明は、第２の発明において、上記リモコン送信部は、上記操作部の操作に応じて上記リモコン送信部側の電波時計の動作を禁止する動作禁止制御部をさらに含む構成としている。このような構成によれば、上記の効果に加え、リモコン送信部からの送信とリモコン送信部の電波時計の時刻情報取得動作が重ならなくなるので、リモコン送信部側での消費電流のピーク値を抑制可能となり、また、リモコン送信部からの送信とリモコン送信部の電波時計の時刻情報取得動作が互いに干渉し合って各々の動作が不安定となるのを防止可能となる。
【００１３】
第４の発明は、第２または第３の発明において、上記リモコン送信部は、上記操作部が操作された時刻を記憶する操作時刻記憶部と、上記操作時刻記憶部に記憶された操作時刻に応じて上記リモコン送信部側の電波時計の動作時刻を変更する動作時刻制御部とをさらに含む構成としている。このような構成によれば、上記効果に加えて、リモコン送信部の電波時計の動作時刻をリモコン送信部が操作されにくい時間帯へ変更可能となる。よって、リモコン送信部からの送信とリモコン送信部の電波時計の時刻情報取得動作が重ならないようにしながらリモコン送信部の電波時計の時刻情報取得動作を行わせることが可能となる。
【００１４】
第５の発明は、第２乃至第４の発明のいずれかにおいて、上記リモコン受信部は、上記受信部の上記所望の暗号情報の受信に伴い上記リモコン受信部側の電波時計の動作を禁止する動作禁止制御部をさらに含む構成としている。このような構成によれば、上記の効果に加え、リモコン受信部の受信動作とリモコン受信部の電波時計の時刻情報取得動作が重ならなくなるので、リモコン受信部側での消費電流のピーク値を抑制可能となり、また、リモコン受信部の受信動作とリモコン受信部の電波時計の時刻情報取得動作が互いに干渉し合って各々の動作が不安定となるのを防止可能となる。
【００１５】
第６の発明は、第２乃至第５の発明のいずれかにおいて、上記リモコン受信部は、上記受信部が上記所望の暗号情報を受信した時刻を記憶する受信時刻記憶部と、上記受信時刻記憶部に記憶された受信時刻に応じて上記リモコン受信部側の電波時計の動作時刻を変更する動作時刻制御部とをさらに含む構成としている。このような構成によれば、リモコン受信部の電波時計の動作時刻をリモコン受信部がリモコン送信部から送信情報を受信しにくい時間帯へ変更可能となる。よって、リモコン受信部の受信動作とリモコン受信部の電波時計の時刻情報取得動作が重ならないようにしながらリモコン受信部の電波時計の時刻情報取得動作を行わせることが可能となる。
【００１６】
第７の発明は、上記リモコン装置と、上記制御出力に基づき制御される電子機器とを含むリモコン装置を備えた電子機器である。このような構成によれば、リモコン装置を備えた電子機器において、上述したような効果をそうすることが可能となる。
【００１７】
【発明の実施の形態】
以下、本発明の実施の形態を図面に示す一実施例に基づき説明する。本例では、図１に示すように、リモコン装置を備えた電子機器として、無線信号で錠を施錠および開錠するワイヤレスキーを備えたキーレスエントリーシステムを例にして説明する。なお、リモコン装置を備えた電子機器としてはキーレスエントリーシステムに限らず、適宜変更可能である。また、リモコン装置としてもワイヤレスキーの送受信部に限らず適宜変更可能である。図１において、１００はリモコン送信部、２００はリモコン受信部である。
【００１８】
リモコン送信部１００は、操作部としてのスイッチ１、送信側計時部としての電波時計２、所望の情報としての識別情報（以下「ＩＤデータ」という。）を記憶するメモリ３、ＣＰＵやＲＯＭ、ＲＡＭ等を備え、暗号化部、動作禁止制御部および動作時刻設定部としての制御装置４、アンテナ５ａ等を備える送信部としての送信機５、電波時計２の動作開始時刻やスイッチ１が操作された時刻等を記憶する操作時刻記憶部としての記憶装置６を備える。なお、本例では、メモリ３が記憶するＩＤデータは、スイッチ１および後述する錠装置７の錠に対応する鍵の情報となる。
【００１９】
リモコン受信部２００は、リモコン送信部１００から送信された情報に基づいた制御出力（施錠・開錠信号）を電子機器としての錠装置７に出力するもので、受信部側計時部としての電波時計８、リモコン送信部１００のＩＤメモリ３に記憶されたＩＤデータと同じＩＤデータを記憶するＩＤメモリ９、ＣＰＵやＲＯＭ、ＲＡＭ等を備え、解読部、制御部、動作禁止制御部および動作時刻設定部としての制御装置１０、アンテナ１１ａを備える受信部としての受信機１１、電波時計８の動作開始時刻や受信機１１がリモコン送信部１００からの無線信号（暗号情報）を受信した時刻等を記憶する受信時刻記憶部としての記憶装置１２を備える。
【００２０】
電波時計２および８は、福島や九州にある送信所から送信されている時刻情報等を含んだ長波標準電波（ＪＪＹ）を受信し、受信した電波から時刻情報を取得し、取得した時刻情報に基づき時刻を計時する。
【００２１】
次に動作を説明する。まず、リモコン送信部１００側の動作から説明する。
【００２２】
電波時計２の計時時刻が記憶装置６に記憶されている電波時計２の動作開始時刻になると、制御装置４は電波時計２に受信スタート信号を出力し、電波時計２がＪＪＹの受信を開始し、時刻情報を取得し、電波時計２内で計時していた計時時刻を取得した時刻情報に基づき修正する。よって、電波時計２の計時時刻はＪＪＹの時刻情報に同期する。
【００２３】
スイッチ１を利用者が押すと、制御装置４は、電波時計２から時刻情報を、ＩＤメモリ３からスイッチ１に対応した鍵情報としてのＩＤデータをそれぞれ読み出す。制御装置４は時刻情報をキーとしてＩＤデータを暗号化し、暗号化されたＩＤデータは送信機５から送信される。
【００２４】
なお、制御装置４は、スイッチ１が押されると所定時間の間、電波時計２の受信動作を中止する。よって、リモコン送信部１００からの送信とリモコン送信部の電波時計２の時刻情報取得動作が重ならなくなるので、リモコン送信部側１００での消費電流のピーク値を抑制可能となり、また、リモコン送信部１００からの送信とリモコン送信部の電波時計２の時刻情報取得動作が互いに干渉し合って各々の動作が不安定となるのを防止可能となる。
【００２５】
また、制御装置４は、スイッチ１が押された時刻を記憶装置６に記憶するとともに、過去にスイッチ１が押された時刻を記憶装置６から読み出し、スイッチ１が押される頻度が最も低い時刻を見出し、それを基に電波時計２でＪＪＹを受信する時刻を新たに求め、記憶装置６に記憶されている電波時計２の動作開始時刻を新たに求めた時刻に書き換える。よって、リモコン送信部の電波時計２の動作時刻をリモコン送信部１００が操作されにくい時間帯へ変更可能となる。よって、リモコン送信部１００からの送信とリモコン送信部の電波時計２の時刻情報取得動作が重ならないようにしながらリモコン送信部の電波時計２の時刻情報取得動作を行わせることが可能となる。
【００２６】
次にリモコン受信部２００の動作を説明する。
【００２７】
電波時計８の計時時刻が記憶装置１２に記憶されている電波時計８の動作開始時刻になると、制御装置１０は電波時計８に受信スタート信号を出力し、電波時計８がＪＪＹの受信を開始し、時刻情報を取得し、電波時計８内で計時していた計時時刻を取得した時刻情報に基づき修正する。よって、電波時計８の計時時刻はＪＪＹの時刻情報に同期する。つまり、リモコン送信部１００の電波時計２の計時時刻とリモコン受信部２００の電波時計８の計時時刻は同期する。
【００２８】
受信機１１がリモコン送信部１００の送信機５から無線送信された情報を受信すると、制御装置１０は電波時計８から時刻情報を読み出し、これをキーとして受信した情報（暗号情報）を解読する。解読した結果の情報がＩＤメモリ９に記憶されたＩＤデータと一致した場合には、錠装置７に施錠・解錠信号を送る。錠装置７は、施錠・解錠信号を入力すると、錠がかかっている場合には開錠し、錠が開いている場合には施錠する。
【００２９】
このように、時刻をキーとしてリモコン用信号の暗号および解読を行うので、リモコン送信部１００から送信される情報は毎回異なるようになり、この情報を傍受されたとしても不正に使用されることを避けることができる。
【００３０】
また、送信部側計時部２および受信部側計時部８を、時刻情報を含む電波から取得した時刻情報に基づき時刻を計時する電波時計とすることにより、送信部側計時部の計時内容と受信部側計時部の計時内容とを自動的に同期させることが可能となるので、ユーザが両計時部を同期させるという煩わしい操作を解消可能となる。
【００３１】
制御装置１０は、受信機１１がリモコン送信部１００から送信される情報の受信を行っている間、電波時計８の受信動作を中止する。よって、リモコン受信部２００の受信動作とリモコン受信部の電波時計８の時刻情報取得動作が重ならなくなるので、リモコン受信部側２００での消費電流のピーク値を抑制可能となり、また、リモコン受信部の受信動作と電波時計の時刻情報取得動作が互いに干渉し合って各々の動作が不安定となるのを防止可能となる。
【００３２】
制御装置１０は、受信機１１が正しいＩＤデータを受信した時刻を記憶装置１２に記憶するとともに、過去にＩＤデータを受信した時刻を記憶装置１２から読み出し、ＩＤデータを受信する頻度が最も低い時刻を見出し、それを基に電波時計８でＪＪＹを受信する時刻を新たに求め、記憶装置１２に記憶されている電波時計８の動作開始時刻を新たに求めた時刻に書き換える。よって、リモコン受信部の電波時計８の動作時刻を暗号化されたＩＤデータが受信しにくい時間帯へ変更可能となる。よって、リモコン受信部２００の受信動作とリモコン受信部の電波時計８の時刻情報取得動作が重ならないようにしながらリモコン受信部の電波時計８の時刻情報取得動作を行わせることが可能となる。
【００３３】
なお、ＩＤメモリ９に記憶するＩＤデータを複数にして、複数のリモコン送信部（鍵）１００に対応できるようにしてもよい。つまり、複数の鍵を受け付けるリモコン受信部としてもよい。
【００３４】
また、リモコン受信部２００の制御装置１０が暗号情報を解読する時点の時刻は、送信装置が暗号化する時点の時刻とわずかにずれる（リモコン送信部１００の制御装置４が暗号化するための電波時計２から時刻情報を読み取る時刻とリモコン受信部２００の制御装置１０が解読用に電波時計８から時刻情報を読み取る時刻とのずれ時間）ので、そのずれ時間を考慮に入れて電波時計２または電波時計８の時刻情報を修正するようにしてもよい。例えば、電波時計２の計時時刻をＪＪＹから取得した時刻から上記ずれ時間だけ進めたり、電波時計８の計時時刻をＪＪＹから取得した時刻から上記ずれ時間だけ遅らせたりしてもよい。また、複数の時刻データをキーにした解読をするようにしてもよい。
【００３５】
また、上記では電波時計としてＪＪＹから時刻情報を取得するようにしたが、これに限らず、ＧＰＳ用の電波から時刻情報を取得するようにしてもよく、適宜変更可能である。
【００３６】
また、上記では、送信側計時部および受信側計時部を電波時計としたが、送信側計時部と受信側計時部は、これに限るものではない。例えば、計時精度の高いクオーツ時計等を用いてもよい。
【００３７】
その他、本発明は、上記実施の形態に限定されるものでなく、その要旨を逸脱しない範囲で種々変形して実施できる。
【００３８】
【発明の効果】
本発明によれば、時刻をキーとしてリモコン用信号の暗号および解読を行うので、リモコン送信部から送信される情報は毎回異なるようになり、この情報を傍受されたとしても不正に使用されることを避けることができる。しかも、従来技術のように同期カウンタを使用しないので同期が外れることがなくなり、リモコン受信部で送信された情報を解読不能となる確率を低くできる。また、リモコン送信・受信が行われる時刻を避けて時刻データの受信を行うので、時刻情報取得の失敗を少なくでき、正確な時刻を計時可能となり、安定したリモコン送受信が可能になる。
【図面の簡単な説明】
【図１】本発明の一実施例を示したブロック図。
【符号の説明】
１      操作部
２      送信側計時部、電波時計
４      暗号化部、動作禁止制御部、動作時刻設定部
５      送信部
６      操作時刻記憶部
７      電子機器
８      受信側計時部、電波時計
１０      解読部、制御部、動作禁止制御部、動作時刻設定部
１２      受信時刻記憶部
１００      リモコン送信部
２００      リモコン受信部
１００、２００  リモコン装置
【図１】
2004186851.tif 000003